(57)【要約】【課題】車両の開閉部に設けるバッテリを小さくすることができる車両の開閉部の給電機構を提供する。【解決手段】給電システム１は、車両のスライドドアに、ドア側バッテリ３４と、ドア側バッテリ３４の電力により動作し、スライドドアのドアハンドルスイッチ６２Ａに操作が入力されたとき、車体からの電力供給を要求する電力供給要求信号を送信するドア側制御部３７と、が設けられている。そして、車両の車体に、ドア側制御部３７によって送信された上記電力供給要求信号を受信するとともに、電力供給要求信号が受信されたとき、車体５の給電コイル２２１からスライドドア６の受電コイル３１１への給電を開始する車体側制御部２５が設けられている。【選択図】図１
2015074270.tif 000002
【特許請求の範囲】
【請求項１】
車両の開閉部に設けられ、受電コイルを有する受電部と、前記車両の車体に設けられ、前記開閉部の開状態及び閉状態において当該車体の電源部の電力を前記受電コイルに非接触で給電可能な給電コイルを有する給電部と、を備えた車両の開閉部の給電機構であって、
前記開閉部に、開閉部バッテリと、前記開閉部バッテリの電力により動作し、前記開閉部の操作スイッチに操作が入力されたとき、前記車体からの電力供給を要求する信号を送信する無線送信手段と、が設けられ、
前記車体に、前記無線送信手段によって送信された前記信号を受信する無線受信手段と、前記無線受信手段によって前記信号が受信されたとき、前記給電コイルから前記受電コイルへの給電を開始する給電制御手段と、が設けられている
ことを特徴とする車両の開閉部の給電機構。
【請求項２】
前記開閉部バッテリが二次電池で構成され、
前記開閉部に、太陽電池と、前記太陽電池の電力により前記開閉部バッテリを充電する充電手段と、がさらに設けられていることを特徴とする請求項１に記載の車両の開閉部の給電機構。
【請求項３】
前記開閉部バッテリが太陽電池で構成されていることを特徴とする請求項１に記載の車両の開閉部の給電機構。
【請求項４】
前記太陽電池が、受光面の向きを変えるように変位可能に設けられ、
前記開閉部に、前記太陽電池の発電効率を検出する発電効率検出手段と、前記車体から供給される電力により動作し、前記発電効率検出手段によって検出された前記発電効率に基づいて前記太陽電池を変位させる太陽電池変位手段と、がさらに設けられていることを特徴とする請求項２又は３に記載の車両の開閉部の給電機構。
【請求項５】
前記発電効率検出手段が、前記開閉部バッテリの電力により動作し、
前記無線送信手段が、前記開閉部の操作スイッチに操作が入力されたときに加えて前記発電効率検出手段によって検出された前記発電効率が所定の条件を満たすときも、前記車体からの電力供給を要求する信号を送信するように構成されていることを特徴とする請求項４に記載の車両の開閉部の給電機構。
【発明の詳細な説明】
【技術分野】
【０００１】
本発明は、車両のドアやサンルーフなどの車両の開閉部の給電機構に関する。
【背景技術】
【０００２】
車両のドアにはパワーウインドウ装置が設けられており、ドアに設けられたスイッチを操作することでモータが駆動されてウインドウが開閉される。また、スライドドアには、自動開閉装置が設けられたものがあり、スライドドアのハンドルスイッチを操作することで、スライドドアに設けられたモータが駆動されてスライドドアが開閉される。
【０００３】
このようなドアやスライドドアなどの開閉部にモータなどの電気機器を設けた構成では、車体と開閉部との間にワイヤハーネスを配索して給電を行っていた。しかしながら、ワイヤハーネスの余長吸収するための複雑な機構が必要であったり、車体と開閉部との間でワイヤハーネスが露出して美観が低下したりするという問題があった。そして、これらの問題を解決する技術が特許文献１に開示されている。
【０００４】
特許文献１に開示されているスライドドアの給電機構では、スライドドアが車両に近接しているとき（ドア閉状態）は、電磁誘導による非接触給電によりスライドドア側に給電して、スライドドア内蔵バッテリに充電を行う。そして、スライドドアが車体から離れているとき（ドア半開状態〜ドア全開状態）、スライドドア内蔵バッテリによりモータを駆動して開閉動作を行う。このように特許文献１では、非接触給電を用いることにより、車体と開閉部との間のワイヤハーネスを省略することができた。
【先行技術文献】
【特許文献】
【０００５】
【特許文献１】特開２００２−１５８０４１号公報
【発明の概要】
【発明が解決しようとする課題】
【０００６】
しかしながら、特許文献１では、スライドドアが車体から離れているときにスライドドア内蔵バッテリによりモータを駆動するので、スライドドア内蔵バッテリの容量を大きくする必要があり、製造コストが高くなったり、スライドドア内の狭い空間に大容量のバッテリを配置することが困難だったりするという問題があった。また、スライドドア内にバッテリを設けず、常時非接触給電を行う構成が考えられるが、スライドドアに設けられたハンドルスイッチの操作を検出するため、車両のイグニッションオフ状態においてもスライドドアに給電し続ける必要があり、無駄に電力を消費してしまうという別の問題があった。
【０００７】
本発明は、かかる問題を解決することを目的としている。即ち、本発明は、車両の開閉部に設けるバッテリを小さくすることができる車両の開閉部の給電機構を提供することを目的とする。
【課題を解決するための手段】
【０００８】
請求項１に記載された発明は、上記目的を達成するために、車両の開閉部に設けられ、受電コイルを有する受電部と、前記車両の車体に設けられ、前記開閉部の開状態及び閉状態において当該車体の電源部の電力を前記受電コイルに非接触で給電可能な給電コイルを有する給電部と、を備えた車両の開閉部の給電機構であって、前記開閉部に、開閉部バッテリと、前記開閉部バッテリの電力により動作し、前記開閉部の操作スイッチに操作が入力されたとき、前記車体からの電力供給を要求する信号を送信する無線送信手段と、が設けられ、前記車体に、前記無線送信手段によって送信された前記信号を受信する無線受信手段と、前記無線受信手段によって前記信号が受信されたとき、前記給電コイルから前記受電コイルへの給電を開始する給電制御手段と、が設けられていることを特徴とする車両の開閉部の給電機構である。
【０００９】
請求項２に記載された発明は、請求項１に記載された発明において、前記開閉部バッテリが二次電池で構成され、前記開閉部に、太陽電池と、前記太陽電池の電力により前記開閉部バッテリを充電する充電手段と、がさらに設けられていることを特徴とするものである。
【００１０】
請求項３に記載された発明は、請求項１に記載された発明において、前記開閉部バッテリが太陽電池で構成されていることを特徴とするものである。
【００１１】
請求項４に記載された発明は、請求項２又は３に記載された発明において、前記太陽電池が、受光面の向きを変えるように変位可能に設けられ、前記開閉部に、前記太陽電池の発電効率を検出する発電効率検出手段と、前記車体から供給される電力により動作し、前記発電効率検出手段によって検出された前記発電効率に基づいて前記太陽電池を変位させる太陽電池変位手段と、がさらに設けられていることを特徴とするものである。
【００１２】
請求項５に記載された発明は、請求項４に記載された発明において、前記発電効率検出手段が、前記開閉部バッテリの電力により動作し、前記無線送信手段が、前記開閉部の操作スイッチに操作が入力されたときに加えて前記発電効率検出手段によって検出された前記発電効率が所定の条件を満たすときも、前記車体からの電力供給を要求する信号を送信するように構成されていることを特徴とするものである。
【発明の効果】
【００１３】
請求項１に記載された発明によれば、車両の開閉部に、開閉部バッテリと、開閉部バッテリの電力により動作し、開閉部の操作スイッチに操作が入力されたとき、車体からの電力供給を要求する信号を送信する無線送信手段と、が設けられている。そして、車両の車体に、無線送信手段によって送信された上記信号を受信する無線受信手段と、無線受信手段によって上記信号が受信されたとき、車体の給電コイルから開閉部の受電コイルへの給電を開始する給電制御手段と、が設けられている。このようにしたことから、無線送信手段によって車体からの電力供給を要求する信号が送信された後、車体から開閉部に電力が供給され、当該電力を操作スイッチの操作に応じて動作するモータなどの電気機器に供給することができる。そのため、車両の開閉部に設けるバッテリを小さくすることができる。
【００１４】
請求項２に記載された発明によれば、開閉部バッテリが二次電池で構成され、開閉部に、太陽電池と、当該太陽電池の電力により開閉部バッテリを充電する充電手段と、がさらに設けられている。このようにしたことから、開閉部バッテリの電力を太陽電池により補うことができ、車両の開閉部に設けるバッテリをさらに小さくすることができる。
【００１５】
請求項３に記載された発明によれば、開閉部バッテリが太陽電池で構成されている。このようにしたことから、開閉部バッテリとして太陽電池を開閉部の外側面に配置することができ、そのため、開閉部におけるバッテリを収容する空間を削減することができる。
【００１６】
請求項４に記載された発明によれば、太陽電池が、受光面の向きを変えるように変位可能に設けられ、開閉部に、太陽電池の発電効率を検出する発電効率検出手段と、車体から供給される電力により動作し、発電効率検出手段によって検出された発電効率に基づいて太陽電池を変位させる太陽電池変位手段と、がさらに設けられている。このようにしたことから、例えば、発電効率が最大になるように太陽電池の向きを変えたり、発電量が過剰の場合は発電効率を下げるように太陽電池の向きを変えたりして、太陽電池の発電効率に応じて太陽電池の向きを変えることができ、そのため、太陽電池からより適切な電力を取り出すことができる。
【００１７】
請求項５に記載された発明によれば、発電効率検出手段が、開閉部バッテリの電力により動作し、無線送信手段が、開閉部の操作スイッチに操作が入力されたときに加えて発電効率検出手段によって検出された発電効率が所定の条件を満たすときも、車体からの電力供給を要求する信号を送信するように構成されている。このようにしたことから、開閉部の操作スイッチに操作が入力されたときに加えて、例えば、発電効率が所定の下限値よりも低いとき、若しくは、発電効率が所定の上限値よりも互いときなど発電効率が所定の条件を満たすときにも、車体からの電力供給を要求することができる。そのため、車体から開閉部に電力が供給されていない状態においても、当該電力供給を開始させて太陽電池の発電効率に応じて太陽電池の向きを変えることができ、これにより、太陽電池からより適切な電力を取り出すことができる。
【図面の簡単な説明】
【００１８】
【図１】本発明の第１実施形態の車両の開閉部の給電機構を備えた給電システムの概略構成を示す図である。
【図２】図１の給電システムの給電部が備える太陽電池の配置を説明する車両の側面図である。
【図３】図１の給電システムの受電部の変形例の構成を示すスライドドアの車両の前後方向から見た側面図である（太陽電池が変位可能に設けられた構成）。
【発明を実施するための形態】
【００１９】
以下、本発明の一実施形態の車両の開閉部の給電機構を備えた給電システムについて、図１、図２を参照して説明する。本実施形態の給電システムは、車両に搭載されており、磁界共鳴方式を用いて非接触で車両の車体から開閉部としてのスライドドアに電力を供給する。勿論、これ以外にも、電磁誘導方式を用いたものなどであってもよい。また、開閉部として、スライドドア以外にも、ヒンジ部によって車体に揺動可能に取り付けられた一般的なドアや、ボンネット、リアゲート、可動式サンルーフなどに適用してもよい。
【００２０】
図１は、本発明の第１実施形態の車両の開閉部の給電機構を備えた給電システムの概略構成を示す図である。図２は、図１の給電システムの給電部が備える太陽電池の配置を説明する車両の側面図である。
【００２１】
図１に示すように、給電システム１は、車両Ｖの車体５（図２に示す）に配置される給電部としての給電装置２０と、スライドドア６（図２に示す）に配置される受電部としての受電装置３０と、を備えている。
【００２２】
給電装置２０は、高周波電源２１と、給電側コイルユニット２２と、給電側コンデンサ２３と、整合器２４と、車体側制御部２５と、を備えている。
【００２３】
高周波電源２１は、例えば、車両Ｖに搭載された電源部である車体側バッテリＢを電源として高周波電力を生成して、給電側コイルユニット２２に供給している。この高周波電源２１により生成される高周波電力は、後述する給電コイル２２１及び受電コイル３１１の共振周波数と等しくなるように設けられている。
【００２４】
給電側コイルユニット２２は、高周波電源２１から高周波電力が供給される給電コイル２２１を備えている。この給電コイル２２１は、平面帯状に巻回され、図２（ａ）、（ｂ）に示すように、後述する車体５の側面に設けられたレール５１の近傍に配設されている。給電側コイルユニット２２は、後述する受電側コイルユニット３１に非接触で給電する。
【００２５】
給電側コンデンサ２３は、給電コイル２２１と直列に接続され、給電コイル２２１と共に共振回路を形成している。給電側コンデンサ２３は、共振周波数を調整する。本実施形態では、給電側コンデンサ２３は、給電コイル２２１と直列接続されているが、並列接続されていてもよい。
【００２６】
整合器２４は、高周波電源２１と給電コイル２２１及び給電側コンデンサ２３からなる共振回路との間のインピーダンスを整合させるための回路である。
【００２７】
車体側制御部２５は、ＣＰＵ２５ａ、ＲＯＭ２５ｂ、ＲＡＭ２５ｃを有する周知のマイクロコンピュータなどで構成され、給電装置２０全体の制御を司る。また、車体側制御部２５は、後述する受電装置３０から送信された無線信号を受信する受信部２５ｄを有する。車体側制御部２５は、車体側からの電力供給を要求する信号（電力供給要求信号）を受信部２５ｄが受信すると、高周波電源２１をオンして、給電側コイルユニット２２への高周波電力の供給を開始する。これにより、給電側コイルユニット２２から後述する受電側コイルユニット３１に非接触で給電が開始される。なお、車両側制御部２５は、ドア側制御部３７に制御信号を送信する図示しない送信部を備えている。車両側制御部２５は、無線受信手段及び給電制御手段として機能する。
【００２８】
受電装置３０は、受電側コイルユニット３１と、受電側コンデンサ３２と、整流器３３と、開閉部バッテリとしてのドア側バッテリ３４と、充電手段としての充電部３５と、太陽電池３６と、ドア側制御部３７と、を備えている。
【００２９】
受電側コイルユニット３１は、給電コイル２２１と磁界共鳴する受電コイル３１１を備えている。この受電コイル３１１は、平面状に巻回されており、図２（ａ）、（ｂ）に示すように、スライドドア６の内側面に給電コイル２２１と対向するように配置されている。受電側コイルユニット３１は、給電側コイルユニット２２から非接触で受電する。
【００３０】
この受電側コイルユニット３１の受電コイル３１１と、上述した給電側コイルユニット２２の給電コイル２２１とは、互いに近接して配置されている。本実施形態において、給電コイル２２１は、車体５に設けられたスライドドア６のスライド移動をガイドするレール５１に隣接して平行にかつレール５１の全長にわたって配置されている。受電コイル３１１は、スライドドア６の車内側の内側面における車両後方（図２の右方）寄りの箇所に、スライドドア６の開状態及び閉状態のいずれにおいても給電コイル２２１と対向するように配置されている。勿論、給電コイル２２１と受電コイル３１１とは、これ以外の場所に設けられていてもよく、本発明の目的に反しない限り、給電コイル２２１と受電コイル３１１との間で非接触給電が可能であれば、これらの配置は任意である。
【００３１】
受電側コンデンサ３２は、受電コイル３１１と直列に接続され、受電コイル３１１と共に共振回路を形成している。受電側コンデンサ３２は、共振周波数を調整する。本実施形態では、受電側コンデンサ３２は、受電コイル３１１と直列接続されているが、並列接続されていてもよい。
【００３２】
整流器３３は、受電側コイルユニット３１が受電した高周波電力を直流電力に変換する。この整流器３３には、例えば、スライドドア６に設けられた、ドア開閉用モータ６１Ａ、ドアロック用モータ６１Ｂ、パワーウインドウ用モータ６１Ｃなどが接続される。
【００３３】
ドア側バッテリ３４は、例えば、リチウムイオン電池やニッケル水素電池などの二次電池で構成され、スライドドア６に内蔵されている。
【００３４】
充電部３５は、後述する太陽電池３６の出力する電力によりドア側バッテリ３４を充電する。
【００３５】
太陽電池３６は、図２に示すように、スライドドア６の外側面に固定して配設されており、受光面３６ａに太陽光を受けることにより電力を生じて、当該電力を充電部３５に出力する。
【００３６】
ドア側制御部３７は、ＣＰＵ３７ａ、ＲＯＭ３７ｂ、ＲＡＭ３７ｃを有する周知のマイクロコンピュータなどで構成され、受電装置３０全体の制御を司る。また、ドア側制御部３７は、給電装置２０に対して無線信号を送信する送信部３７ｄを有する。ドア側制御部３７には、スライドドア６に設けられたドアハンドルスイッチ６２Ａ、ドアロックスイッチ６２Ｂ、パワーウインドウスイッチ６２Ｃが接続されている。また、ドア側制御部３７には、ドア開閉用モータ６１Ａ、ドアロック用モータ６１Ｂ、パワーウインドウ用モータ６１Ｃが接続されており、それぞれに対応するスイッチに入力された操作に応じた動作を要求する制御信号を送信する。なお、ドア側制御部３７は、車両側制御部２５から送信された制御信号を受信する図示しない受信部を備えている。
【００３７】
また、ドア側制御部３７は、ドア側バッテリ３４の電力により動作し、給電装置２０から給電されていない状態において、ドアハンドルスイッチ６２Ａ又はドアロックスイッチ６２Ｂが操作されると、送信部３７ｄを通じて給電装置２０に対して上記電力供給要求信号を送信する。ドア側制御部３７は、無線送信手段として機能する。ドアハンドルスイッチ６２Ａ及びドアロックスイッチ６２Ｂは、操作スイッチに相当する。
【００３８】
上述した給電システム１では、車両のイグニッションオフ状態において、ドアハンドルスイッチ６２Ａが操作されると、ドア側制御部３７が当該操作を検出して送信部３７ｄから車体側制御部２５に向けて電力供給要求信号を送信する。そして、車体側制御部２５が受信部２５ｄにより当該電力供給要求信号を受信すると、車体側制御部２５は高周波電源２１をオンして、給電側コイルユニット２２への高周波電力の供給を開始する。これにより、給電側コイルユニット２２から受電側コイルユニット３１に非接触で給電が開始される。受電側コイルユニット３１に給電された電力は、整流器３３において直流に整流されてドア開閉用モータ６１Ａ、ドアロック用モータ６１Ｂ、パワーウインドウ用モータ６１Ｃに供給される。そして、ドア開閉用モータ６１Ａに電力が供給された後、ドア側制御部３７は、ドア開閉用モータ６１Ａに上記ドアハンドルスイッチ６２Ａに入力された操作（ドア開操作又はドア閉操作）に応じた制御信号を送信する。ドア開閉用モータ６１Ａは、当該制御信号に応じてスライドドア６を開動作又は閉動作する。
【００３９】
その後、ドアハンドルスイッチ６２Ａに入力された操作に応じた動作が終了すると、ドア側制御部３７は送信部３７ｄから車体側制御部２５に向けて電力供給の停止を要求する電力供給停止要求信号を送信する。そして、車体側制御部２５が受信部２５ｄにより当該電力供給停止要求信号を受信すると、車体側制御部２５は高周波電源２１をオフして、給電側コイルユニット２２への高周波電力の供給を停止する。これにより、給電側コイルユニット２２から受電側コイルユニット３１への給電が停止される。車両のイグニッションオフ状態において、ドアロックスイッチ６２Ｂが操作された場合にも、同様の動作を行う。
【００４０】
本実施形態の給電システム１は、車両Ｖのスライドドア６に設けられ、受電コイル３１１を有する受電装置３０と、車両Ｖの車体５に設けられ、スライドドア６の開状態及び閉状態において当該車体５の車体側バッテリＢの電力を受電コイル３１１に非接触で給電可能な給電コイル２２１を有する給電装置２０と、を備えている。スライドドア６に、ドア側バッテリ３４と、ドア側バッテリ３４の電力により動作し、スライドドア６のドアハンドルスイッチ６２Ａ又はドアロックスイッチ６２Ｂに操作が入力されたとき、車体５からの電力供給を要求する電力供給要求信号を送信するドア側制御部３７と、が設けられている。車体５に、ドア側制御部３７によって送信された電力供給要求信号を受信するとともに、当該電力供給要求信号が受信されたとき、給電コイル２２１から受電コイル３１１への給電を開始する車体側制御部２５が設けられている。
【００４１】
また、給電システム１は、ドア側バッテリ３４が二次電池で構成され、スライドドア６に、太陽電池３６と、太陽電池３６の電力によりドア側バッテリ３４を充電する充電部３５と、がさらに設けられている。
【００４２】
以上より、本実施形態によれば、車両Ｖのスライドドア６に、ドア側バッテリ３４と、ドア側バッテリ３４の電力により動作し、スライドドア６のドアハンドルスイッチ６２Ａ又はドアロックスイッチ６２Ｂに操作が入力されたとき、車体５からの電力供給を要求する電力供給要求信号を送信するドア側制御部３７と、が設けられている。そして、車両Ｖの車体５に、ドア側制御部３７によって送信された上記電力供給要求信号を受信するとともに、電力供給要求信号が受信されたとき、車体５の給電コイル２２１からスライドドア６の受電コイル３１１への給電を開始する車体側制御部２５が設けられている。このようにしたことから、ドア側制御部３７によって車体５からの電力供給を要求する電力供給要求信号が送信された後、車体５からスライドドア６に電力が供給され、当該電力をドアハンドルスイッチ６２Ａ又はドアロックスイッチ６２Ｂの操作に応じて動作するドア開閉用モータ６１Ａ又はドアロック用モータ６１Ｂに供給することができる。そのため、車両Ｖのスライドドア６に設けるドア側バッテリ３４を小さくすることができる。
【００４３】
また、ドア側バッテリ３４が二次電池で構成され、スライドドア６に、太陽電池３６と、当該太陽電池３６の電力によりドア側バッテリ３４を充電する充電部３５と、がさらに設けられている。このようにしたことから、ドア側バッテリ３４の電力を太陽電池３６により補うことができ、車両Ｖのスライドドア６に設けるドア側バッテリ３４をさらに小さくすることができる。
【００４４】
以上、本発明について、好ましい実施形態を挙げて説明したが、本発明の車両の開閉部の給電機構は上記実施形態の構成に限定されるものではない。
【００４５】
上述した実施形態では、ドア側バッテリ３４を二次電池として、このドア側バッテリ３４を充電部３５により太陽電池３６の電力で充電する構成としたが、これに限定されるものではない。例えば、ドア側バッテリ３４を太陽電池で構成し、ドア側バッテリ３４の充電に用いる充電部３５及び充電電力用の太陽電池３６を省略した構成としてもよい。このようにすることで、ドア側バッテリ３４として太陽電池をスライドドア６の外側面に配置することができ、そのため、スライドドア６におけるドア側バッテリ３４を収容する空間を削減することができる。または、ドア側バッテリ３４を二次電池として、充電部３５に車体５から供給される電力を供給してドア側バッテリ３４を充電する構成としてもよい。または、ドア側バッテリ３４をリチウム電池などの一次電池としてもよい。さらには、この一次電池で構成されたドア側バッテリ３４に直列又は並列に接続されて当該ドア側バッテリ３４の電力を補うための太陽電池を備えた構成としてもよい。
【００４６】
また、上述した実施形態では、太陽電池３６をスライドドア６の外側面に固定して配置した構成であったが、これに限定されるものではない。例えば、図３に示すように、スライドドア６に設けられ、太陽電池３６の発電量（即ち、発電効率）を検出する電力計などからなる図示しない電力検出部（発電効率検出手段）と、スライドドア６に内蔵され、太陽電池３６の受光面の向きを変えるように変位可能に当該太陽電池３６の四隅を支持するピストン３９ａ及びシリンダ３９ｂを有する複数のアクチュエータ３９（太陽電池変位手段）と、を備えた構成としてもよい。電力検出部は、ドア側バッテリ３４の電力により動作し、これら複数のアクチュエータ３９は、整流器３３に接続されて車体５から供給された電力により動作する。
【００４７】
この構成において、例えば、ドア側制御部３７は上記電力検出部によって検出された太陽電池３６の発電量が所定の基準発電量未満であるとき、上記電力供給要求信号を送信する。そして、この電力供給要求信号を受けて車体５から電力が供給されると、ドア側制御部３７は複数のアクチュエータ３９に制御信号を送信して、太陽電池３６の受光面３６ａの向きを予め定められた複数の方向に向けるとともに当該向きでの発電量を取得する。ここで、「予め定められた複数の方向」とは、一例として、受光面３６ａが鉛直方向及び車両の前後方向と平行となる位置を基準（即ち、鉛直方向の傾きが０度、前後方向の傾きが０度）とし、鉛直方向の傾きが０度〜３０度まで５度刻み（鉛直方向上方が正）、前後方向の傾きが−３０度〜３０度まで５度刻み（車両前方が負、後方が正）で変化させたときのこれら鉛直方向及び前後方向の傾きの角度の組み合わせによって定まる複数の方向のことを示す。そして、ドア側制御部３７は、予め定められた複数の方向の全てについて発電量を取得し終わった後、最も発電量の大きかった方向に受光面３６ａが向くように複数のアクチュエータ３９に制御信号を送信する。複数のアクチュエータ３９は、制御信号（即ち、発電量）に基づいて太陽電池３６を変位させる。
【００４８】
このようにすることで、発電効率が最大になるように太陽電池３６の向きを変えることができ、そのため、太陽電池３６からより適切な電力を取り出すことができる。また、スライドドア６のドアハンドルスイッチ６２Ａ又はドアロックスイッチ６２Ｂに操作が入力されたときに加えて、発電効率が所定の基準発電量よりも低いときなど発電効率が所定の条件を満たすときにも、車体５からの電力供給を要求することができる。そのため、車体５からスライドドア６に電力が供給されていない状態においても、当該電力供給を開始させて太陽電池３６の発電効率に応じて太陽電池の向きを変えることができ、これにより、太陽電池３６からより適切な電力を取り出すことができる。なお、例えば、車両Ｖのイグニッションオン状態など、車体５からスライドドア６に電力供給が開始されている状態においてのみ、太陽電池３６の発電量を検出して、太陽電池３６の向きを変える構成としてもよい。
【００４９】
上述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明の車両の開閉部の給電機構の構成を具備する限り、勿論、本発明の範疇に含まれるものである。
【符号の説明】
【００５０】
１        給電システム（車両の開閉部の給電機構）
５        車体
６        スライドドア（開閉部）
２０        給電装置（給電部）
２２        給電側コイルユニット
２５        車体側制御部（無線受信手段、給電制御手段）
３０        受電装置（受電部）
３１        受電側コイルユニット
３４        ドア側バッテリ（開閉部バッテリ）
３５        充電部（充電手段）
３６        太陽電池
３６ａ      受光面
３７        ドア側制御部（無線送信手段）
３９        アクチュエータ（太陽電池変位手段）
６２Ａ      ドアハンドルスイッチ（操作スイッチ）
６２Ｂ      ドアロックスイッチ（操作スイッチ）
２２１      給電コイル
３１１      受電コイル
Ｂ          車体側バッテリ（車体の電源部）
Ｖ          車両
【図１】
2015074270.tif 000003
【図２】
2015074270.tif 000004
【図３】
2015074270.tif 000005